(57)【要約】【課題】きめ細かな洗顔用の泡を容易に得るための用具を提供する。【解決手段】押圧圧縮可能なる任意形状の多孔体を設けるとともに、該多孔体中央を上下に貫通する中心孔を形成し、中心孔にネットの一部を挿通するとともに、多孔体に該ネットを覆設したことを特徴とする。【選択図】      図７
2006223813.tif 000002
【特許請求の範囲】
【請求項１】
押圧圧縮可能なる任意形状の多孔体を設けるとともに、該多孔体中央を上下に貫通する中心孔を形成し、中心孔にネットの一部を挿通するとともに、多孔体に該ネットを覆設したことを特徴とする洗顔用起泡具。
【請求項２】
覆設したネット上部に環体を取り付けてなる請求項１記載の洗顔用起泡具。
【発明の詳細な説明】
【技術分野】
【０００１】  この発明は、洗顔時に用いる石鹸の泡を容易に発生させることのできる用具に関する。
【背景技術】
【０００２】  従来より、洗顔時に用いる用具としては、スポンジ等の多孔性材料やポンプ式の容器などが多用されており、本発明にて示すように、多孔性材料をネットにてくるむタイプの用具は現在のところ見当たらない。
【発明の開示】
【発明が解決しようとする課題】
【０００３】  従来より洗顔の時には石鹸が多用されている。石鹸は固形、液状、粉状など種々の製品があるが、いずれも泡立ててこの泡を顔面に付着させ、泡による洗浄作用にて汚れを落とすものである。すなわち、石鹸には水の表面張力を低下させて安定した泡を生ずる性質があり、この泡を利用している。この泡を発生させるには、固形石鹸の場合は湿らせた石鹸に手をこすりつけてから双方の手をこすり合わせて行い、あるいは湿らせたスポンジ、ヘチマなどの多孔性材料を石鹸に複数回こすりつけてからスポンジを間欠的に押圧して行う。あるいはポンプ式の容器内に粉状の石鹸と水を入れ、外気をこの容器に送り込むことによって水に溶けた石鹸が泡となってノズルから放出され、この泡を用いるなどの手段が利用されている。
また、袋状のネット内に固形石鹸を入れ、こすりつけて泡立ててから石鹸を取りだし、ネットをしごいて泡を搾り取る方法もある。液状や粉状の石鹸を用いるときも同様に、手に付けるか多孔性材料に含ませて泡立てる方法が用いられている。
しかし、これらの手段には以下のような問題がある。
１．手をこすり合わせる方法は両手を使わねばならず、また十分な泡立ちが得にくい。
２．スポンジ等を使う手段は、泡立ちは得られるが、きめ細かな泡は得られない。
３．ポンプ式容器を使う手段は、水と粉状石鹸を容器内に入れて溶かして用いるが、衛生面からこの液は一回毎の使い切りとするため、使用するたびにこの液を作らねばならない。また、時には石鹸の溶解が不十分で泡がスムースに出ないことがある。
４．ネット内に固形石鹸を入れて泡を作る方法は、手間がかかる。
本発明は、以上のような従来からの起泡手段に関わる課題を解決するために発明されたもので、細かな泡を容易に得ることのできる新規かつ有用なる用具を提供することを目的として開発されたものである。
【課題を解決するための手段】
【０００４】  課題を解決する手段として本発明は、圧縮可能な多孔体にネットを覆設してその主要部を構成した。
すなわち、押圧圧縮可能なる任意形状の多孔体を設けるとともに、該多孔体中央を上下に貫通する中心孔を形成し、中心孔にネットの一部を挿通するとともに、多孔体に該ネットを覆設する。本発明は以上の構成よりなる洗顔用起泡具である。
【発明の効果】
【０００５】  本発明によれば、多孔体にネットが覆設されているので、水を含ませて石鹸に軽くこすりつけた後に多孔体を間欠圧縮することにより、微細な泡が発生し、この泡を洗顔に用いることで効果的な洗顔を行うことのできる有用なる用具を得ることができる。
また、多孔体に中心孔が設けられているため、押圧圧縮が容易であるとともに、この中心部分から空気を取り込んで起泡効率を向上させることができる。
【発明を実施するための最良の形態】
【０００６】  以下、本発明の実施形態について説明する。
図において、１は発泡合成樹脂による円柱形の多孔体で、通称はスポンジと呼ばれるものである。この多孔体は上下二種に分かれ、上部はやや硬質の多孔体２が、下部は軟質の多孔体３が位置し、この下部に上部が固着されるが、下部に対して上部の厚さは薄く形成される。この多孔体の中央には上下に貫通する中心孔４が形成される。
５はネットで、軟質合成樹脂による筒状の網体であり、その中央から折り返して二重にして用いられる。また、ネットの折り返し部近傍には適径の孔が連設される。（図示略）
このネットは多孔体に覆設されるが、以下の手段による。
まず折り返して二重になったネットの折り返し部分を下にしてネット上部をすぼめて、多孔体下方から中心孔に挿入し、多孔体上面よりやや上方にネット端を位置させる。
次ぎに、折り返し部分を広げて上方に位置させ、すぼめて多孔体より突出しているネット端周囲に沿わせ、前記の連設孔内に結び紐６を挿通し、紐端を結ぶ。
この結び紐は、その外面が布で被覆されたゴムひもであり、伸縮可能である。
そして連設した孔に外側から挿入し、隣の孔から外に出し、これをくり返して一周させ、紐を引きながら結び止める。以上の作業にて本発明が完成する。【０００７】  本発明を使用するには、まず適量の水にて本品を湿らせ、全体を手に持ち、固形石鹸の場合は石鹸表面に本品下面を複数回軽くこすりつけ、液状石鹸の場合は本品下面に適量垂らす。また、小さく崩れた固形石鹸を中心孔内に入れてもよい。
次ぎに、本品を軽く握って間欠的に全体を押圧すると、本品体積は縮小と復元をくり返すこととなる。これにより、多孔体内部に含まれた石鹸成分は細孔より外へ泡となって現れるが、多孔体外面はネットにて覆われているため、この泡はネット通過にてさらに細分化され、細かくクリーミーな泡となってネット上に付着する。
また、中心孔を有するために、押圧時はこの中心孔がつぶれるので押圧力が小さくてすみ、この中心孔内の空気も多孔体内に取り込んで起泡効率を高めることができる。
そしてこの泡を顔面に直接付着させるかあるいは手ですくい取って顔面に付着させ、水や温湯にて洗い流すことにより、顔面の汚れが除去される。使用後は本品を水洗いして乾燥させて保管し、再度使用することができる。
図６は本発明の応用例を示すもので、合成樹脂製の環体を結び紐にてネットに固定したものであり、この環体に指を入れて使用することで使用時の保持が容易となり、またこの環体をフックに引っ掛けて吊下乾燥することができる。【０００８】  以上、本発明について説明したが、本発明は多孔体にネットを覆設したところにその特徴を有し、多孔体押圧による起泡をネットにてさらに細分化することができ、多数の泡を用いての洗顔が可能となり、より効果的に汚れを除去することができるものである。
また、多孔体に中心孔を設け、この中心孔にネットの一部を挿通した覆設方法のため、多孔体に対するネットの安定保持ができるとともに、この中心孔内の空気がネットを介して多孔体に入り込み、この多孔体からさらにネットを介して起泡するために、細かな起泡が可能である。また、実施形態では多孔体をやや硬質の上部と軟質の下部から構成しているため、押圧圧縮後の復元に有利である。本実施形態では上部に硬質部分を位置させたが、逆に下部に位置させてもよい。あるいはすべて軟質の多孔体とすることもできる。
さらにネットは二重にして用いているので、多孔体から発生した泡の細分化が一重の場合に比べてより効果的である。また必要に応じてこのネットを三重以上にして用いることもできる。なお、本実施形態ではネットに孔を連設してこの孔に結び紐を通してネットをまとめたが、小筒状布体をネット適所に固着もしくは縫着し、この筒状布体内に結び紐を通す方法でまとめてもよい。
以上のごとく、本発明により、洗顔効果の高い細かな泡を経済的かつ容易に得ることのできる用具を提供することができる。
【図面の簡単な説明】
【０００９】
【図１】本発明の多孔体の平面図
【図２】本発明の多孔体の正面図
【図３】本発明のネット装着手順説明図
【図４】本発明のネット装着手順説明図
【図５】本発明の斜視図
【図６】本発明の斜視図（環体取り付け時）
【図７】本発明の内部構造説明図（縦断面・ハッチング一部略）
【図８】本発明の要部拡大説明図
【符号の説明】
【００１０】１  多孔体
２  多孔体（硬質）
３  多孔体（軟質）
４  中心孔
５  ネット
６  結び紐
７  環体
【図１】
2006223813.tif 000003
【図２】
2006223813.tif 000004
【図３】
2006223813.tif 000005
【図４】
2006223813.tif 000006
【図５】
2006223813.tif 000007
【図６】
2006223813.tif 000008
【図７】
2006223813.tif 000009
【図８】
2006223813.tif 000010